(57)【特許請求の範囲】
【請求項１】
ゴルフクラブのシャフトに使用するグリップであって、
弾性を有する下地スリーブと、
頂縁領域と、底縁領域と、前記頂縁領域と前記底縁領域との間に延在する二つの側縁領域と、内側表面と、外側表面とを具備する外側多層パネルであって、さらに、共に結合される少なくとも内側強化層と外側把持層とを具備する外側多層パネルと、
頂縁領域と、底縁領域と、前記頂縁領域と前記底縁領域との間に延在する二つの側縁領域と、外側表面と、内側表面とを具備する内側強化パネルと、を具備し、
前記外側多層パネル及び前記内側強化パネルは、共に結合されて結合多層パネルを形成し、前記外側多層パネルの前記内側強化層が前記内側強化パネルに結合され、前記外側多層パネル及び前記内側強化パネルの前記側縁領域が偏倚されて、実質的に前記内側強化パネルからなる第一側方延長部と、実質的に前記外側多層パネルからなる第二側方延長部とを形成し、前記第一側方延長部は、前記結合多層パネルの外側表面を横切る外側当接表面と、前記結合多層パネルの外側表面に略平行な中間当接表面と、前記結合多層パネルの外側表面を横切る内側当接表面とを区画形成し、前記第二側方延長部は、前記結合多層パネルの外側表面を横切る外側当接表面と、前記結合多層パネルの外側表面に略平行な中間当接表面と、前記結合多層パネルの外側表面を横切る内側当接表面とを区画形成し、
前記結合多層パネルは前記下地スリーブ回りに巻き付けられ、前記内側強化パネルの内側表面が前記下地スリーブに結合され、前記第二側方延長部が前記第一側方延長部に重なって、外側取り付け境界面、中間取り付け境界面、及び、内側取り付け境界面を形成し、前記外側取り付け境界面では、前記第二側方延長部の外側当接表面の少なくとも前記外側把持層により形成される一部と、前記第一側方延長部の外側当接表面の少なくとも前記外側把持層により形成される一部とが結合され、前記中間取り付け境界面では、前記第二側方延長部の中間当接表面と、前記第一側方延長部の中間当接表面とが結合され、それにより、前記内側強化パネルが前記外側多層パネルの内側強化層に結合され、前記内側取り付け境界面は、前記第一側方延長部の内側当接表面と、前記第二側方延長部の内側当接表面とを具備するグリップ。
【請求項２】
前記外側取り付け境界面では、さらに、前記第二側方延長部の前記外側当接表面の少なくとも前記内側強化層により形成される一部と、前記第一側方延長部の前記外側当接表面の少なくとも前記内側強化層により形成される一部とが結合される請求項１に記載のグリップ。
【請求項３】
前記内側取り付け境界面では、さらに、前記第二側方延長部の内側当接表面と、前記第一側方延長部の内側当接表面とが結合される請求項２に記載のグリップ。
【請求項４】
前記外側多層パネルの外側表面の少なくとも一部は摩擦強化パターンを具備する請求項１に記載のグリップ。
【請求項５】
前記外側取り付け境界面、前記中間取り付け境界面、及び、前記内側取り付け境界面のそれぞれの少なくとも一部は、少なくとも一つの接着部を具備する請求項１に記載のグリップ。
【請求項６】
前記外側取り付け境界面に含まれる少なくとも一つの接着部はポリウレタンを有する請求項５に記載のグリップ。
【請求項７】
凹部が前記外側取り付け境界面の長さの少なくとも一部に沿って前記外側多層パネルの外側表面に形成される請求項１に記載のグリップ。
【請求項８】
前記凹部の少なくとも一部はポリウレタンによって覆われる請求項７に記載のグリップ。
【請求項９】
前記凹部を覆うポリウレタンの少なくとも一部は滑らかにすり落とされる請求項８に記載のグリップ。
【請求項１０】
前記外側取り付け境界面の長さの少なくとも一部に沿って前記外側多層パネルの外側表面は盛付ポリウレタンによって覆われる請求項１に記載のグリップ。
【請求項１１】
前記盛付ポリウレタンの少なくとも一部は滑らかにすり落とされる請求項１０に記載のグリップ。
【請求項１２】
ゴルフクラブのシャフトに使用するグリップであって、
弾性を有する下地スリーブと、
頂縁領域と、底縁領域と、前記頂縁領域と前記底縁領域との間に延在する二つの側縁領域と、内側表面と、外側表面とを具備する外側多層パネルであって、共に結合される少なくとも内側強化層及び外側把持層を具備する外側多層パネルと、
頂縁領域と、底縁領域と、頂縁領域と底縁領域との間に延在する二つの側縁領域と、外側表面と、内側表面とを具備する内側強化パネルと、を具備し、
前記外側多層パネル及び前記内側強化パネルは、共に結合されて結合多層パネルを形成し、前記外側多層パネルの内側強化層が前記内側強化パネルに結合され、前記外側多層パネル及び前記内側強化パネルの側縁領域が偏倚されて、実質的に前記内側強化パネルからなる第一側方延長部と、実質的に外側多層パネルからなる第二側方延長部とを形成し、前記第一側方延長部は、前記結合多層パネルの外側表面を横切る外側当接表面と、前記結合多層パネルの外側表面に略平行な中間当接表面と、前記結合多層パネルの外側表面を横切る内側当接表面とを区画形成し、前記第二側方延長部は、前記結合多層パネルの外側表面を横切る外側当接表面と、前記結合多層パネルの外側表面に略平行な中間当接表面と、前記結合多層パネルの外側表面を横切る内側当接表面とを区画形成し、
前記結合多層パネルは前記下地スリーブ回りに巻き付けられ、前記内側強化パネルの内側表面が前記下地スリーブに結合され、前記第二側方延長部が前記第一側方延長部に重なって、外側取り付け境界面、中間取り付け境界面、及び、内側取り付け境界面を形成し、
前記外側多層パネルは、さらに、前記外側取り付け境界面における第一継ぎ目と、前記外側多層パネルの内側表面と外側表面との間に延在する少なくとも一つの前記外側多層パネルの第二継ぎ目とを具備するグリップ。
【請求項１３】
前記外側多層パネルの外側表面の少なくとも一部は摩擦強化パターンを具備する請求項１２に記載のグリップ。
【請求項１４】
前記外側多層パネルは、さらに、前記外側多層パネルに形成された開口部に挿入されて前記第二継ぎ目によって前記外側多層パネルに結合される少なくとも一つの挿入部材を具備する請求項１３に記載のグリップ。
【請求項１５】
前記開口部は、前記外側多層パネルの前記頂縁領域、前記底縁領域、及び、前記側縁領域から内側へ離間する請求項１４に記載のグリップ。
【請求項１６】
前記挿入部材と前記外側多層パネルの間の前記第二継ぎ目は、前記摩擦強化パターンの少なくとも一部を形成する請求項１５に記載のグリップ。
【請求項１７】
前記挿入部材の外側表面は前記外側多層パネルの外側表面の一部を区画形成し、少なくとも一つの前記挿入部材の前記外側表面は、摩擦強化パターンを具備する請求項１６に記載のグリップ。
【請求項１８】
前記挿入部材の外側表面は前記外側多層パネルの外側表面の一部を区画形成し、少なくとも一つの前記挿入部材の前記外側表面は、前記外側多層パネルの残り部分の少なくとも一部の色と異なる色を具備する請求項１６に記載のグリップ。
【請求項１９】
前記第二継ぎ目は、第一部分及び第二部分を有する前記外側多層パネルの少なくとも前記第一部分及び前記第二部分を結合するために、前記外側多層パネルの前記頂縁領域及び前記底縁領域の間の距離を実質的に延在する請求項１３に記載のグリップ。
【請求項２０】
前記第一部分の外側表面は、前記第二部分の外側表面とは異なる摩擦強化パターンを具備している請求項１９に記載のグリップ。
【請求項２１】
前記第一部分の外側表面は、前記第二部分の外側表面とは異なる色を具備している請求項１９に記載のグリップ。
【請求項２２】
前記外側取り付け境界面、前記中間取り付け境界面、及び、前記内側取り付け境界面のそれぞれの少なくとも一部は、少なくとも一つの接着部を具備する請求項１２に記載のグリップ。
【請求項２３】
前記外側取り付け境界面の少なくとも一つの接着部はポリウレタンを有する請求項２２に記載のグリップ。
【請求項２４】
前記第二継ぎ目の少なくとも一部は、少なくとも一つの接着部を具備する請求項１２に記載のグリップ。
【請求項２５】
少なくとも一つの前記接着部はポリウレタンを有する請求項２４に記載のグリップ。
【請求項２６】
少なくとも一つの前記挿入部材は前記外側多層パネルの外側周囲端部を有する請求項１４に記載のグリップ。
【請求項２７】
凹部が前記外側取り付け境界面の長さの少なくとも一部に沿って前記外側多層パネルの外側表面に形成される請求項１２に記載のグリップ。
【請求項２８】
前記凹部の少なくとも一部はポリウレタンによって覆われる請求項２７に記載のグリップ。
【請求項２９】
前記凹部を覆うポリウレタンの少なくとも一部は滑らかにすり落とされる請求項２８に記載のグリップ。
【請求項３０】
前記外側取り付け境界面の長さの少なくとも一部に沿って前記外側多層パネルの外側表面は盛付ポリウレタンによって覆われる請求項１２に記載のグリップ。
【請求項３１】
前記盛付ポリウレタンの少なくとも一部は滑らかにすり落とされる請求項３０に記載のグリップ。
【請求項３２】
凹部が少なくとも一つの前記第二継ぎ目の長さの少なくとも一部に沿って前記外側多層パネルの外側表面に形成される請求項１２に記載のグリップ。
【請求項３３】
前記凹部の少なくとも一部はポリウレタンによって覆われる請求項３２に記載のグリップ。
【請求項３４】
前記凹部を覆うポリウレタンの少なくとも一部は滑らかにすり落とされる請求項３３に記載のグリップ。
【請求項３５】
前記外側取り付け境界面の長さの少なくとも一部に沿って前記外側多層パネルの外側表面は盛付ポリウレタンによって覆われる請求項１２に記載のグリップ。
【請求項３６】
前記盛付ポリウレタンの少なくとも一部は滑らかにすり落とされる請求項３５に記載のグリップ。
【請求項３７】
ゴルフクラブのシャフトに使用するグリップの製作方法であって、
弾性を有する下地スリーブを提供する段階と、
頂縁領域と、底縁領域と、前記頂縁領域と前記底縁領域との間に延在する二つの側縁領域と、内側表面と、外側表面とを具備する外側多層パネルであって、さらに、共に結合される少なくとも内側強化層及び外側把持層を具備する外側多層パネルを提供する段階と、  頂縁領域と、底縁領域と、前記頂縁領域と前記底縁領域との間に延在する二つの側縁領域と、外側表面と、内側表面とを具備する内側強化パネルを提供する段階と、
前記外側多層パネルと前記内側強化パネルとを共に結合して結合多層パネルを形成し、前記外側多層パネル及び前記内側強化パネルの側縁領域が偏倚されて、実質的に内側強化パネルからなる第一側方延長部と、実質的に外側多層パネルからなる第二側方延長部とを形成するように、前記外側多層パネルの内側強化層が前記内側強化パネルに結合され、前記第一側方延長部が、前記結合多層パネルの外側表面を横切る外側当接表面と、前記結合多層パネルの外側表面に略平行な中間当接表面と、前記結合多層パネルの外側表面を横切る内側当接表面とを区画形成し、前記第二側方延長部が、前記結合多層パネルの外側表面を横切る外側当接表面と、前記結合多層パネルの外側表面に略平行な中間当接表面と、前記結合多層パネルの外側表面を横切る内側当接表面とを区画形成する段階と、
前記下地スリーブ回りに前記結合多層パネルを巻き付ける段階と、
前記下地スリーブへ前記内側強化パネルの内側表面を結合する段階と、
外側取り付け境界面、中間取り付け境界面、及び、内側取り付け境界面を形成するように前記第一側方延長部に前記第二側方延長部を重ねて、前記外側取り付け境界面では、前記第二側方延長部の外側当接表面の少なくとも前記外側把持層により形成される一部と、前記第一側方延長部の外側当接表面の少なくとも前記外側把持層により形成される一部とを結合し、前記中間取り付け境界面では、前記第二側方延長部の中間当接表面と、前記第一側方延長部の中間当接表面とを結合し、それにより、前記内側強化パネルが前記外側多層パネルの内側強化層に結合され、前記内側取り付け境界面は、前記第一側方延長部の内側当接表面と、前記第二側方延長部の内側当接表面とを具備するようにする段階と、を有する方法。
【請求項３８】
前記外側取り付け境界面を形成する段階は、さらに、前記第二側方延長部の前記外側当接表面の少なくとも前記内側強化層により形成される一部に前記第一側方延長部の前記外側当接表面の少なくとも前記内側強化層により形成される一部を結合する段階を有する請求項３７に記載の方法。
【請求項３９】
前記内側取り付け境界面を形成する段階は、さらに、前記第二側方延長部の内側当接表面に前記第一側方延長部の内側当接表面を結合する段階を有する請求項３８に記載の方法。
【請求項４０】
さらに、前記外側多層パネルの外側表面の少なくとも一部に摩擦強化パターンを形成する段階を有する請求項３７に記載の方法。
【請求項４１】
さらに、前記外側取り付け境界面、前記中間取り付け境界面、及び、前記内側取り付け境界面のそれぞれの少なくとも一部を少なくとも一つの接着部により結合する段階を有する請求項３７に記載の方法。
【請求項４２】
前記外側取り付け境界面の少なくとも一部を結合する前記段階は、接着部としてポリウレタンを使用する段階を有する請求項４１に記載の方法。
【請求項４３】
さらに、凹部を前記外側取り付け境界面の長さの少なくとも一部に沿って前記外側多層パネルの外側表面に形成する段階を有する請求項３７に記載の方法。
【請求項４４】
さらに、前記凹部の少なくとも一部をポリウレタンによって覆う段階を有する請求項４３に記載の方法。
【請求項４５】
さらに、前記凹部を覆うポリウレタンの少なくとも一部をすり落とす段階を有する請求項４４に記載の方法。
【請求項４６】
さらに、前記外側取り付け境界面の長さの少なくとも一部に沿って前記外側多層パネルの外側表面をポリウレタンによって覆う段階を有する請求項３７に記載の方法。
【請求項４７】
さらに、前記外側取り付け境界面を覆うポリウレタンの少なくとも一部をすり落とす段階を有する請求項４６に記載の方法。
【請求項４８】
ゴルフクラブのシャフトに使用するグリップを製作する方法であって、
弾性を有する下地スリーブを提供する段階と、
頂縁領域と、底縁領域と、いずれも前記頂縁領域と前記底縁領域との間に延在する第一側縁領域及び第二側縁領域と、内側表面と、外側表面とを有し、共に結合される少なくとも内側強化層及び外側把持層を具備する第一外側多層パネルを提供する段階と、
頂縁領域と、底縁領域と、いずれも前記頂縁領域と前記底縁領域との間に延在する第一側縁領域及び第二側縁領域と、内側表面と、外側表面とを有し、共に結合される少なくとも内側強化層及び外側把持層を具備する第二外側多層パネルを提供する段階と、
頂縁領域と、底縁領域と、前記頂縁領域と前記底縁領域との間に延在する二つの側縁領域と、外側表面と、内側表面とを有する内側強化パネルを提供する段階と、
前記第一及び第二外側多層パネルと前記内側強化パネルとを共に結合して結合多層パネルを形成し、前記第一外側多層パネルの第二側縁領域及び第二外側多層パネルの第一側縁領域と前記内側強化パネルの側縁領域とが偏倚されて、実質的に前記内側強化パネルからなる第一側方延長部と、実質的に第一外側多層パネルからなる第二側方延長部とを形成するように、前記第一及び第二外側多層パネルの内側強化層が内側強化パネルに結合され、前記第一側方延長部が、前記結合多層パネルの外側表面を横切る外側当接表面と、前記結合多層パネルの外側表面に略平行な中間当接表面と、前記結合多層パネルの外側表面を横切る内側当接表面とを区画形成し、前記第二側方延長部が、前記結合多層パネルの外側表面を横切る外側当接表面と、前記結合多層パネルの外側表面に略平行な中間当接表面と、前記結合多層パネルの外側表面を横切る内側当接表面とを区画形成するようにする段階と、
前記下地スリーブ回りに前記結合多層パネルを巻き付ける段階と、
前記下地スリーブへ前記内側強化パネルの内側表面を結合する段階と、
外側取り付け境界面、中間取り付け境界面、及び、内側取り付け境界面を形成するように前記第一側方延長部に前記第二側方延長部を重ねて、前記外側取り付け境界面では、前記第二側方延長部の外側当接表面の少なくとも前記外側把持層により形成される一部と、前記第一側方延長部の外側当接表面の少なくとも前記外側把持層により形成される一部とが結合され、前記中間取り付け境界面では、前記第二側方延長部の中間当接表面と、前記第一側方延長部の中間当接表面とが結合され、それにより、前記内側強化パネルが前記外側多層パネルの内側強化層に結合され、前記内側取り付け境界面は、前記第一側方延長部の内側当接表面と、前記第二側方延長部の内側当接表面とを具備するようにする段階と、を有する方法。
【請求項４９】
前記外側取り付け境界面を形成する段階は、前記第二側方延長部の前記外側当接表面の少なくとも前記内側強化層により形成される一部に前記第一側方延長部の前記外側当接表面の少なくとも前記内側強化層により形成される一部を結合する段階を有する請求項４８に記載の方法。
【請求項５０】
前記内側取り付け境界面を形成する段階は、さらに、前記第二側方延長部の内側当接表面に前記第一側方延長部の内側当接表面を結合する段階を有する請求項４９に記載の方法。
【請求項５１】
さらに、前記外側多層パネルの外側表面の少なくとも一部に摩擦強化パターンを形成する段階を有する請求項４８に記載の方法。
【請求項５２】
さらに、前記外側取り付け境界面、前記中間取り付け境界面、及び、前記内側取り付け境界面のそれぞれの少なくとも一部を少なくとも一つの接着部により結合する段階を有する請求項４８に記載の方法。
【請求項５３】
前記外側取り付け境界面の少なくとも一部を結合する前記段階は、接着部としてポリウレタンを使用する段階を有する請求項５２に記載の方法。
【請求項５４】
さらに、凹部を前記外側取り付け境界面の長さの少なくとも一部に沿って前記外側多層パネルの外側表面に形成する段階を有する請求項４８に記載の方法。
【請求項５５】
さらに、前記凹部の少なくとも一部をポリウレタンによって覆う段階を有する請求項５４に記載の方法。
【請求項５６】
さらに、前記凹部を覆うポリウレタンの少なくとも一部をすり落とす段階を有する請求項５５に記載の方法。
【請求項５７】
さらに、前記外側取り付け境界面の長さの少なくとも一部に沿って前記外側多層パネルの外側表面をポリウレタンによって覆う段階を有する請求項４８に記載の方法。
【請求項５８】
さらに、前記外側取り付け境界面を覆うポリウレタンの少なくとも一部をすり落とす段階を有する請求項５７に記載の方法。
【請求項５９】
前記外側多層パネルは、前記外側取り付け境界面における第一継ぎ目を具備し、前記第一及び第二外側多層パネルは第二継ぎ目を区画形成して共に結合され、さらに、前記第二継ぎ目の長さの少なくとも一部に沿って前記外側多層パネルの外側表面に凹部を形成する段階を有する請求項４８に記載の方法。
【請求項６０】
さらに、前記凹部の少なくとも一部をポリウレタンによって覆う段階を有する請求項５９に記載の方法。
【請求項６１】
さらに、前記凹部を覆うポリウレタンの少なくとも一部をすり落とす段階を有する請求項６０に記載の方法。
【請求項６２】
前記外側多層パネルは、前記外側取り付け境界面における第一継ぎ目を具備し、前記第一及び第二外側多層パネルは第二継ぎ目を区画形成して共に結合され、さらに、前記外側取り付け境界面の長さの少なくとも一部に沿って前記外側多層パネルの外側表面をポリウレタンによって覆う段階を有する請求項４８に記載の方法。
【請求項６３】
さらに、前記外側取り付け境界面を覆うポリウレタンの少なくとも一部をすり落とす段階を有する請求項６２に記載の方法。
【請求項６４】
ゴルフクラブのシャフトに使用されるグリップの製作方法であって、
弾性を有する下地スリーブを提供する段階と、
頂縁領域と、底縁領域と、頂縁領域と底縁領域との間に延在する二つの側縁領域と、内側表面と、外側表面とを具備する外側多層パネルであって、共に結合される少なくとも内側強化層と外側把持層とを具備する外側多層パネルを提供する段階と、
頂縁領域と、底縁領域と、頂縁領域と底縁領域との間に延在する二つの側縁領域と、外側表面と、内側表面とを具備する内側強化パネルを提供する段階と、
前記外側多層パネル及び前記内側強化パネルを共に結合して結合多層パネルを形成し、前記外側多層パネルの外側側縁領域及び前記内側強化パネルの側縁領域が偏倚されて、実質的に前記内側強化パネルからなる第一側方延長部と、実質的に外側多層パネルからなる第二側方延長部とを形成するように前記外側多層パネルの内側強化層が前記内側強化パネルに結合され、前記第一側方延長部が、前記結合多層パネルの外側表面を横切る外側当接表面と、前記結合多層パネルの外側表面に略平行な中間当接表面と、前記結合多層パネルの外側表面を横切る内側当接表面とを区画形成し、前記第二側方延長部が、前記結合多層パネルの外側表面を横切る外側当接表面と、前記結合多層パネルの外側表面に略平行な中間当接表面と、前記結合多層パネルの外側表面を横切る内側当接表面とを区画形成するようにする段階と、
前記下地スリーブ回り前記結合多層パネルを巻き付ける段階と、
前記下地スリーブへ内側パネルの内側表面を結合する段階と、
外側取り付け境界面、中間取り付け境界面、及び、内側取り付け境界面を形成するために、前記第一側方延長部に前記第二側方延長部を重ねる段階と、を有し、
前記外側多層パネルは、さらに、前記外側取り付け境界面における第一継ぎ目と、前記外側多層パネルの内側表面と外側表面との間に延在する少なくとも一つの前記外側多層パネルの第二継ぎ目とを具備する方法。
【請求項６５】
さらに、前記外側多層パネルの外側表面の少なくとも一部に摩擦強化パターンを形成する段階を有する請求項６４に記載の方法。
【請求項６６】
前記外側多層パネルを提供する段階は、さらに、前記外側多層パネルに形成された開口部に挿入されて前記第二継ぎ目によって前記外側多層パネルに結合される少なくとも一つの挿入部材を備える外側多層パネルを提供する段階を有する請求項６４に記載の方法。
【請求項６７】
少なくとも一つの挿入部材を備える外側多層パネルを提供する前記段階は、前記開口部を前記外側多層パネルの頂縁領域、底縁領域、及び側縁領域から内側へ離間するように形成する段階をさらに有する請求項６６に記載の方法。
【請求項６８】
前記挿入部材の外側表面は前記外側多層パネルの外側表面の一部を区画形成し、前記挿入部材の外側表面に摩擦強化パターンを形成する段階を有する請求項６７に記載の方法。
【請求項６９】
少なくとも一つの接着部によって、前記外側取り付け境界面、前記中間取り付け境界面、及び、前記内側取り付け境界面のそれぞれの少なくとも一部を結合する段階を有する請求項６４に記載の方法。
【請求項７０】
前記外側取り付け境界面の少なくとも一部を結合する前記段階は、接着剤としてポリウレタンを使用する段階を有する請求項６９に記載の方法。
【請求項７１】
前記外側取り付け境界面の長さの少なくとも一部に沿って前記外側多層パネルの外側表面に凹部を形成する段階をさらに有する請求項６４に記載の方法。
【請求項７２】
前記凹部の少なくとも一部をポリウレタンによって覆う段階をさらに有する請求項７１に記載の方法。
【請求項７３】
前記凹部を覆うポリウレタンの少なくとも一部を滑らかにすり落とす段階をさらに有する請求項７２に記載の方法。
【請求項７４】
前記外側取り付け境界面の長さの少なくとも一部に沿って前記外側多層パネルの外側表面をポリウレタンによって覆う段階をさらに有する請求項６４に記載の方法。
【請求項７５】
前記外側取り付け境界面を覆うポリウレタンの少なくとも一部を滑らかにすり落とす段階をさらに有する請求項７４に記載の方法。
【請求項７６】
少なくとも一つの前記第二継ぎ目の長さの少なくとも一部に沿って前記外側多層パネルの外側表面に凹部を形成する段階をさらに有する請求項６４に記載の方法。
【請求項７７】
前記凹部の少なくとも一部をポリウレタンによって覆う段階をさらに有する請求項７６に記載の方法。
【請求項７８】
前記凹部を覆うポリウレタンの少なくとも一部を滑らかにすり落とす段階をさらに有する請求項７７に記載の方法。
【請求項７９】
少なくとも一つの前記第二継ぎ目の長さの少なくとも一部に沿って前記外側多層パネルの外側表面をポリウレタンによって覆う段階をさらに有する請求項６４に記載の方法。
【請求項８０】
前記第二継ぎ目を覆うポリウレタンの少なくとも一部を滑らかにすり落とす段階をさらに有する請求項７９に記載の方法。
【発明の詳細な説明】
【技術分野】
【０００１】
本出願は、シャフト用の改良型グリップに関する。特に、本出願は、ゴルフクラブのシャフト用の改良型グリップに関する。
【背景技術】
【０００２】
本出願は、参考として、米国特許第6,244,975号、同第6,627,027号、同第6,695,713号、同第6,843,732号、及び、同第6,857,971号を、全体的において組み込む。
【０００３】
本出願人は、以前に、ゴルフクラブの使用者の筋肉および腕関節へのインパクト時の衝撃を好適に減少すると共にプレーヤーの手とグリップとの間に吸い付く(tackiness)様な感触も提供するという弾性グリップを開発した。たとえば、本出願人に対して1998年8月25日に付与された米国特許第5,797,813号、本出願人に対して2005年1月18日に付与された米国特許第6,843,732号、及び、本出願人に対して2005年2月22日に付与された米国特許第6,857,971号を参照されたい。
【０００４】
これらのグリップの最も初期のものは、ゴルフクラブのシャフトへ摺動嵌装されて接着される下地スリーブ(underlisting sleeve)の回りに螺旋状に巻回されたポリウレタン・フェルト製の細長片を利用する。上記細長片の各側部には、加熱押圧されて凹状形成されると共に重なり合う補強縁部が形成される。斯かるグリップはインパクト時の衝撃を減少する上では満足できることが判明したが、その作製は多大な労力を必要とし、と言うのも特に、上記細長片は特定の圧力パラメータ範囲内で上記下地スリーブの回りに手作業で巻回されなければならないからである。さらに、上記細長片の隣り合う側縁部同士を正確に整列させることは困難である、と言うのも、斯かる細長片は上記下地スリーブの回りに螺旋状に巻回されつつあるからである。この様に巻回されたグリップは巻回プロセスの間に捻られ得ると共に、許容されるのは限られた装飾デザインおよび限られた色彩の載置のみである。
【０００５】
本出願人の米国特許第6,857,971号は、既存の螺旋状巻回グリップにより与えられるのと同一の衝撃抵抗性と吸い付き感とを提供する一方で、斯かるグリップの上記二つの不都合を克服せんとするものである。上記不都合は、下地スリーブの外側形状に対応する形態を有する単一のポリウレタン・フェルト製パネルから、構造的に一体的なグリップを形成することで排除される。この設計態様は上記巻回プロセスに伴う捻れ(twisting)に関する問題を排除すると共に装飾デザインを表示するための更なる領域を提供するが、該設計態様の機能において、今日における近代的なゴルフ分野において普及している多色方式への対処は限られる。
【０００６】
本出願人の米国特許第6,843,732号は、最初は別個の複数の二層パネルを組み込むことにより、依然として、吸い付き感を提供する一方で、上記不都合を克服せんとするものである。斯かる形状は、グリップが、単一パネルグリップ又は古い螺旋状巻回グリップでは不可能な多色の組み合わせに適応するために、米国特許第6,843,732号の教示により形成されることを可能とする。
【０００７】
このようなグリップはインパクト時の衝撃の減少の上では満足できることが判明したが、その作製は我々に残された多大なものであり、と言うのも特に、両側部の交線に沿う継ぎ目が比較的滑らかに残るように、上記パネルは両側部に沿って角取りされるからである。さらに、前述の形状の単一のパネルグリップにおいて、種々のパターンに容易に効率的に角取りすることが困難である。それにより、このパネルグリップにおいて、許容されるのは限られた装飾デザインおよび限られた色彩の載置のみである。
【発明の開示】
【発明が解決しようとする課題】
【０００８】
本発明のゴルフクラブグリップの実施例は、既存の螺旋状巻回グリップ及び単一のパネルグリップにより与えられるのと同一の衝撃抵抗性と吸い付き感とを提供する一方で、斯かるグリップの上記不都合を克服する。望ましくは、偏倚した適合関係において共に結合される少なくとも外側パネル及び内側パネルから構造的に一体的なグリップが形成される。
【課題を解決するための手段】
【０００９】
好適な一実施例は、ゴルフクラブのシャフトに使用されるグリップであり、好適には弾性的な下地スリーブと、外側多層パネルと、内側強化パネルとを有する。外側多層パネルは、好ましくは、頂縁領域と、底縁領域と、頂縁領域と底縁領域との間に延在する二つの側縁領域と、内側表面と、外側表面とを具備する。外側多層パネルは、好ましくは、さらに、共に結合される少なくとも内側強化層と外側把持層とを具備する。内側強化パネルは、好ましくは、頂縁領域と、底縁領域と、頂縁領域と底縁領域との間に延在する二つの側縁領域と、外側表面と、内側表面とを具備する。好ましくは、外側パネル及び内側パネルは、共に結合されて結合多層パネルを形成し、この結合多層パネルにおいて、外側パネルの内側強化層が内側強化パネルに結合され、外側パネル及び内側パネルの側縁領域が偏倚されて、実質的に内側パネルからなる第一側方延長部と、実質的に外側パネルからなる第二側方延長部とを形成する。第一側方延長部は、好ましくは、多層パネルの外側表面を横切る外側当接表面（すなわち、多層パネルの外側表面を横切る方向に延在する外側当接表面）と、多層パネルの外側表面に略平行な中間当接表面と、多層パネルの外側表面を横切る内側当接表面とを区画形成する。第二側方延長部は、好ましくは、多層パネルの外側表面を横切る外側当接表面と、多層パネルの外側表面に略平行な中間当接表面と、多層パネルの外側表面を横切る内側当接表面とを区画形成する。好ましくは、結合多層パネルは下地スリーブ回りに巻き付けられ、それにより、内側パネルの内側表面がスリーブに結合され、第二側方延長部が第一側方延長部に重なって、外側取り付け境界面、中間取り付け境界面、及び、内側取り付け境界面を形成する。外側取り付け境界面は、好ましくは、把持層により形成される第二側方延長部の外側当接表面の少なくとも一部に結合される把持層により形成される第一側方延長部の外側当接表面の少なくとも一部を具備する。中間取り付け境界面は、好ましくは、第二側方延長部の中間当接表面に結合される第一側方延長部の中間当接表面を具備し、それにより、内側強化パネルが外側パネルの内側強化層に結合される。内側取り付け境界面は、好ましくは、第一側方延長部の内側当接表面と、第二側方延長部の内側当接表面とを具備する。
【００１０】
もう一つの好適な実施例は、ゴルフクラブのシャフトに使用され、好ましくは弾性的な下地スリーブと、外側多層パネルと、内側強化パネルとを有するグリップである。外側多層パネルは、好ましくは、頂縁領域と、底縁領域と、頂縁領域と底縁領域との間に延在する二つの側縁領域と、内側表面と、外側表面とを具備する。外側多層パネルは、好ましくは、さらに、少なくとも共に結合される内側強化層及び外側把持層と、多層パネルの内側表面と外側表面との間に延在する少なくとも一つの内側継ぎ目とを具備する。内側強化パネルは、好ましくは、頂縁領域と、底縁領域と、頂縁領域と底縁領域との間に延在する二つの側縁領域と、外側表面と、内側表面とを具備する。好ましくは、外側パネル及び内側パネルは、共に結合されて結合多層パネルを形成し、この結合多層パネルにおいて、外側パネルの内側強化層が内側強化パネルに結合され、外側パネル及び内側パネルの側縁領域が偏倚されて、実質的に内側パネルからなる第一側方延長部と、実質的に外側パネルからなる第二側方延長部とを形成する。第一側方延長部は、多層パネルの外側表面を横切る外側当接表面と、多層パネルの外側表面に略平行な中間当接表面と、多層パネルの外側表面を横切る内側当接表面とを区画形成する。第二側方延長部は、多層パネルの外側表面を横切る外側当接表面と、多層パネルの外側表面に略平行な中間当接表面と、多層パネルの外側表面を横切る内側当接表面とを区画形成する。好ましくは、結合多層パネルは下地スリーブ回りに巻き付けられ、それにより、内側パネルの内側表面がスリーブに結合され、第二側方延長部が第一側方延長部に重なって、外側取り付け境界面、中間取り付け境界面、及び、内側取り付け境界面を形成する。
【００１１】
もう一つの好適な実施例は、ゴルフクラブのシャフトに使用されるグリップを製作する方法であり、この方法は、弾性的な下地スリーブを提供する段階と、頂縁領域と、底縁領域と、頂縁領域と底縁領域との間に延在する二つの側縁領域と、内側表面と、外側表面とを有する外側多層パネルであって、さらに、共に結合される少なくとも内側強化層及び外側把持層を具備する外側多層パネルを提供する段階と、頂縁領域と、底縁領域と、頂縁領域と底縁領域との間に延在する二つの側縁領域と、外側表面と、内側表面とを有する内側強化パネルを提供する段階と、外側パネル及び内側パネルの側縁領域が偏倚されて、実質的に内側パネルからなる第一側方延長部と、実質的に外側パネルからなる第二側方延長部とを形成するように、外側パネルの内側強化層が内側強化パネルに結合され、第一側方延長部が、多層パネルの外側表面を横切る外側当接表面と、多層パネルの外側表面に略平行な中間当接表面と、多層パネルの外側表面を横切る内側当接表面とを区画形成し、第二側方延長部が、多層パネルの外側表面を横切る外側当接表面と、多層パネルの外側表面に略平行な中間当接表面と、多層パネルの外側表面を横切る内側当接表面とを区画形成するように、外側パネルと内側パネルとを共に結合して結合多層パネルを形成する段階と、下地スリーブ回りに結合多層パネルを巻回する段階と、スリーブへ内側パネルの内側表面を結合する段階と、外側取り付け境界面、中間取り付け境界面、及び、内側取り付け境界面を形成するように第一側方延長部に第二側方延長部を重ねる段階とを有し、外側取り付け境界面は、把持層により形成される第二側方延長部の外側当接表面の少なくとも一部に結合される把持層により形成される第一側方延長部の外側当接表面の少なくとも一部を具備し、中間取り付け境界面は、第二側方延長部の中間当接表面に結合される第一側方延長部の中間当接表面を具備し、それにより、内側強化パネルが外側パネルの内側強化層に結合され、内側取り付け境界面は、第一側方延長部の内側当接表面と、第二側方延長部の内側当接表面とを具備する。
【００１２】
さらにもう一つの好適な実施例は、ゴルフクラブのシャフトに使用されるグリップを製作する方法であり、この方法は、弾性的な下地スリーブを提供する段階と、頂縁領域と、底縁領域と、いずれも頂縁領域と底縁領域との間に延在する第一側縁領域及び第二側縁領域と、内側表面と、外側表面とを有する第一外側多層パネルであって、さらに、共に結合される少なくとも内側強化層及び外側把持層を具備する第一外側多層パネルを提供する段階と、頂縁領域と、底縁領域と、いずれも頂縁領域と底縁領域との間に延在する第一側縁領域及び第二側縁領域と、内側表面と、外側表面とを有する第二外側多層パネルであって、さらに、共に結合される少なくとも内側強化層及び外側把持層を具備する第二外側多層パネルを提供する段階と、頂縁領域と、底縁領域と、頂縁領域と底縁領域との間に延在する二つの側縁領域と、外側表面と、内側表面とを有する内側強化パネルを提供する段階と、第一外側パネルの第二側縁領域及び第二外側パネルの第一側縁領域と内側パネルの側縁領域とが偏倚されて、実質的に内側パネルからなる第一側方延長部と、実質的に第一外側パネルからなる第二側方延長部とを形成するように、第一及び第二外側パネルの内側強化層が内側強化パネルに結合され、第一側方延長部が、多層パネルの外側表面を横切る外側当接表面と、多層パネルの外側表面に略平行な中間当接表面と、多層パネルの外側表面を横切る内側当接表面とを区画形成し、第二側方延長部が、多層パネルの外側表面を横切る外側当接表面と、多層パネルの外側表面に略平行な中間当接表面と、多層パネルの外側表面を横切る内側当接表面とを区画形成するように、第一及び第二外側パネルと内側パネルとを共に結合して結合多層パネルを形成する段階と、下地スリーブ回りに結合多層パネルを巻き付ける段階と、スリーブへ内側パネルの内側表面を結合する段階と、外側取り付け境界面、中間取り付け境界面、及び、内側取り付け境界面を形成するように第一側方延長部に第二側方延長部を重ねる段階とを有し、外側取り付け境界面は、把持層により形成される第二側方延長部の外側当接表面の少なくとも一部に結合される把持層により形成される第一側方延長部の外側当接表面の少なくとも一部を具備し、中間取り付け境界面は、第二側方延長部の中間当接表面に結合される第一側方延長部の中間当接表面を具備し、それにより、内側強化パネルが外側パネルの内側強化層に結合され、内側取り付け境界面は、第一側方延長部の内側当接表面と、第二側方延長部の内側当接表面とを具備する。
【００１３】
もう一つの好適な実施例は、ゴルフクラブのシャフトに使用されるグリップの製作方法であり、弾性的な下地スリーブを提供する段階と、頂縁領域と、底縁領域と、頂縁領域と底縁領域との間に延在する二つの側縁領域と、内側表面と、外側表面と、少なくとも一つの内側継ぎ目とを具備する外側多層パネルであって、共に結合される内側強化層と外側把持層とを具備する外側多層パネルを提供する段階と、頂縁領域と、底縁領域と、頂縁領域と底縁領域との間に延在する二つの側縁領域と、外側表面と、内側表面とを具備する内側強化パネルを提供する段階と、外側パネルの内側強化層が内側強化パネルに結合され、外側パネルの外側側縁領域及び内側パネルの側縁領域が偏倚されて、実質的に内側パネルからなる第一側方延長部と、実質的に外側パネルからなる第二側方延長部とを形成し、第一側方延長部が、多層パネルの外側表面を横切る外側当接表面と、多層パネルの外側表面に略平行な中間当接表面と、多層パネルの外側表面を横切る内側当接表面とを区画形成し、第二側方延長部が、多層パネルの外側表面を横切る外側当接表面と、多層パネルの外側表面に略平行な中間当接表面と、多層パネルの外側表面を横切る内側当接表面とを区画形成する結合多層パネルを形成するために、外側パネル及び内側パネルを共に結合する段階と、下地スリーブ回り結合多層パネルを巻き付ける段階と、スリーブへ内側パネルの内側表面を結合する段階と、外側取り付け境界面、中間取り付け境界面、及び、内側取り付け境界面を形成するために、第一側方延長部に第二側方延長部を重ねる段階とを有している。
【００１４】
他の好適な実施例は、限定されることなく、テニスラケット、ポロクラブ、ホッケイステック、バトミントンラケット、及び、ハンマー等を含む他の衝撃を受ける用具に使用されるグリップと、このグリップを製作する方法とを有している。さらに、このようなグリップは、自転車のグリップと、歩行用ステックと、ウェイクボード及び水上スキー等で使用される引きロープのハンドルと、他の種類のハンドルとを含み、ここで開示された発明の特徴が役立ち及び有効な使用者の手により把持される他のハンドルでの使用にも適している。ここで開示された種々の実施例に使用される外側多層パネルの外側把持層は、好ましくは、外側多層パネルの内側強化層へ接着される。さらに好ましくは、外側把持層は、内側強化層へ結合又は粘着され、最も好ましくは、内側強化層へ直接的に硬化される。好ましくは、ここで開示された強化層は共に接着される。さらに好ましくは、それらは共に結合又は粘着され、最も好ましくは、共に接着剤により接着される。好ましくは、外側把持層は共に接着される。さらに好ましくは、それらは共に結合又は粘着され、最も好ましくは、液状ポリウレタンにより結合される。
【発明の効果】
【００１５】
本発明の実施例は既存の螺旋状巻回グリップよりも相当に低いコストで製造され得る、と言うのも、特定の圧力パラメータ範囲内で下地スリーブの回りに細長片を螺旋巻回するという多大な労力が排除されるからである。付加的に、本発明の実施例は、製造の間に、又は、それが下地スリーブに接着された後のいずれにおいても捻れない。本発明の新規なグリップは望ましくは、プロゴルファ及びハンディキャップの少ないアマチアにアピールすべく一般的な成形ラバーグリップと同様の外観を有すると共に、装飾デザインを適用するための大きな領域も提供する。更に、本発明の実施例は、複数の色彩の組み合わせにも対処し得ることから、ゴルファ、及び、愛好されるスポーツを行う間に校色の表示を望む大学の行事に対して魅力的である。本発明の実施例は、側縁の角取りのさらなる段階が省略されるために、以前のパネル形状より製作するのに安価である。本発明の実施例は設置が非常に容易である。
【００１６】
本発明の更なる目的、特徴および利点は、本発明の例示的実施例を示す添付図面に関する以下の詳細な説明から明らかとなろう。
【発明を実施するための最良の形態】
【００１７】
各図を通し、同一の参照番号および符号は図示実施例の同様の特徴、要素、構成要素もしくは部分を表すのに使用される。更に、本発明は各図を参照して詳細に説明されるが、それは図示実施例に関するものである。記述される実施例に対しては、添付の各請求項により定義される本発明の有効範囲および精神から逸脱せずに変更および改変が為され得ることが意図されている。
【００１８】
各図を参照すると、図６９において、本発明を具現するパネルグリップＧ１はゴルフクラブＣのシャフトＳＣに取付けられて示される。図７０において、本発明を具現するパターグリップＰＧ２は、パターＰＣのシャフトＳＰに取付けられて示される。残りの図面を参照すると、グリップの好適形態は、外側多層パネルと、一般的な構造の下地弾性スリーブ回りに巻き付けられて結合される内側強化パネルとから形成された結合多層パネルを有している。本出願を通し、頂部という語句はクラブヘッドとは反対のクラブの大径端部に最も近い部分、すなわち、ゴルファがクラブをスィングもしくはストロークするとすればそのゴルファに最も近い端部を指すべく用いられる。同様に、底部という語句は、クラブの大径端部から最も遠い部分を定義すべく用いられる。
【００１９】
図１は、結合多層パネルＰ１（図４）を構成するのに使用される外側多層パネル２を示している。外側パネル２は、好ましくは、大きなシート材（図示せず）から切断され、切り取られ、及び／又は、除去及び分離される。外側パネル２は、当業者に良く知られた方法により形成されても良い。好ましくは、外側パネル２は、頂縁領域４と、底縁領域６と、第一側縁領域８と、第二側縁領域１０とを有している。側縁領域８は、第一外側当接表面３６を有している。側縁領域１０は、第二外側当接表面３８を有している。パネル２は、さらに、内側表面４４及び外側表面４６を区画形成し、位置決め切欠き２８及び３０をさらに具備しても良い。他の実施例において、パネル２は切欠きを有していない。他の実施例において、位置決め切欠きは、内側強化層１６（図２）に結合される前の外側パネル２よりむしろ結合多層パネルＰ１に形成される。
【００２０】
外側多層パネル２は、好ましくは、さらに、多数の層を具備している。一実施例において、パネル２は、内側強化層１２と外側把持層１４とを有する。図１に示す実施例において、当業者により理解されるように、内側表面４４は内側層１２の内側表面に対応する。同様に、外側表面４６は外側層１４の外側表面に対応する。好ましくは、外側把持層１４はポリウレタンから成る。ポリウレタンは好適な材料であるが、他の材料が使用可能であり、さらに幾つかの利点を実現する。特に、特に、他のポリマ化合物は外側層を生成して幾つかの利点を達成すべく使用され得る。同様に、内側強化層１２は、好ましくは、フェルトから成る。フェルトは好適であるが、本発明のもう一つの実施例においては他の織地層(fabric or textile layer)が用いられ得ることは理解される。もう一つの実施例において、内側強化層１２は、ポリマ、更に好適にはエチレン・ビニル・アセテート(ＥＶＡ)から成るようにしても良い。
【００２１】
内側強化層１２の外側表面（図示せず）は、好ましくは、外側把持層１５の内側表面（図示せず）へ接着される。この開示のために、接着の定義は、一般的に、接着(bonding)、粘着(adhering)、固定(fixing)、取り付け(attaching)、縫合(sewing)、連結(coupling)、及び、接着剤での接着(gluing)の理解された定義を含む広い意味を有することが意図されている。ポリウレタンが外側層１４に使用される時、このようなポリウレタンは、好ましくは、細孔（図示せず）を区画して固まる。ポリウレタンは、内側強化層１２へ直接的に硬化及び接着させて良く、又は、最初に中間層（図示せず）上で硬化させて後に内側強化層１２へ取り付けられても良い。
【００２２】
前述したように、外側多層パネル１２は、好ましくは、フェルトの内側強化層１２と、ポリウレタンの外側把持層１４とを具備する。フェルトは、羊毛、ポリエステル、ナイロンもしくはそれらの混合物で作製され得る。好適には、ナイロン・ポリエステル・フェルトが利用される。ポリウレタンは、ジメチルホルミアミド（ＤＭＦ)に溶解されたポリウレタンの溶液（例えば、ポリエステル、ポリエーテル）をフェルト細長片の一側に被覆し、被覆された細長片を水浴に浸漬してＤＭＦを排除してウレタンを凝固させ、且つ、最終的に加圧および加熱により水分を飛ばすことにより、従来様式で形成され得る。ポリウレタン層の固形分は、斯かるポリウレタン層の所望硬度に従い変更される。好適な固形分の溶液は約28.5〜30.5％であり、25±0.5℃で測定された粘度範囲は約60,000〜90,000cpsである。適切なポリウレタン成分は、以下の業者から購入され得る。
Lidye Chemical Co., Ltd.
10F1 Lidye-Commercial Bldg.
22 Nanking W. Road, Taipei
Taiwan, R.O.C.
Lidye Chemical Co., Ltd.
No. 17, Ching Chien 6th Road
Guan in Industrial Area, Guan In Shiang
Taoyuan Hsien, Taiwan, R.O.C.
Lidye Resin (Panyu) Co., Ltd.
Xiadao Industrial Park
Liye Road, Dongchong Town
Panyu City, Guangdong Province, PRC
【００２３】
好ましくは、ポリウレタンの厚さは、約0.1から約0.7ミリメートルの範囲であり、さらに好ましくは、約0.3から約0.5ミリメートルの範囲である。好ましくは、フェルトの厚さは、内側強化層１２に使用される場合において、約0.5〜約2ミリメートルの範囲であり、さらに好ましくは、約0.8〜約1.7ミリメートルの範囲である。好ましくは、フェルトの厚さは、内側強化パネル１６に使用される場合において、約0.05〜約1.0ミリメートルの範囲であり、さらに好ましくは、約0.1〜約0.5ミリメートルの範囲である。外側把持層は、ゴルフクラブ上のゴルファの手に対する緩衝把持表面を提供すると共に、プレーヤーの手とグリップとの間における良好な吸い付き性(tackiness)を提供することでゴルファの把持力も強める。内側強化層は、ポリウレタン層に対する強度を提供する。
【００２４】
図２は内側強化パネル１６を示している。内側パネル１６は、好ましくは、大きなシート材（図示せず）から切断され、切り取られ、及び／又は、除去及び分離される。内側パネル１６は、当業者に良く知られた方法により形成されても良い。内側パネル１６は、頂縁領域１８と、底縁領域２２と、第一側縁領域２４と、第二側縁領域２６とを有している。パネル１６は、さらに、外側表面４８と内側表面５０とを有している。図２において、外側表面４８は、ノズル３２によって接着剤が付けられ図示されている。当業者によって明らかなように、接着剤３４は、ブラシ、ペン、針、又は、粘着テープ等によって提供されても良い。パネル１６の側縁領域２４は、第一外側当接表面４０を有している。パネル１６の側縁領域２６は、第二外側当接表面４２を有している。内側強化パネル１６は、好ましくは、織物(fabric or textile)材料から成る。さらに好ましくは、パネル１６は、外側パネル２の内側強化層１２に関して前述されたようなフェルトから成る。フェルトは好適な材料であるが、他の材料が内側強化パネル１６に使用可能であり、幾つかの利点を実現する。特に、他のポリマ化合物は内側パネル１６を生成して幾つかの利点を達成すべく使用され得る。もう一つの実施例において、内側強化パネル１６は、ポリマ、更に好適にはエチレン・ビニル・アセテート（ＥＶＡ）から成るようにしても良い。以下に述べるように、内側強化パネル１６は結合多層パネルＰ１を下地スリーブＵへ取り付けるための手段として機能する。内側強化パネル１６は、さらに、種々の追加挿入部材（例えば、図９及び１０参照）及び／又は多数の外側パネル（例えば、図１４及び１５参照）の組み込みを可能とする。
【００２５】
図３及び４は、内側パネル１６と外側パネル２とを結合することにより形成される結合多層パネルＰ１を示している。図４と、より詳細には、図５、６Ａ、及び６Ｂとに示されているように、外側パネル２及び内側パネル１６の側縁領域８，１０，２４，２６は、側方延長部５８及び６０を形成するように偏倚される。図５は図４に示された線５−５に沿って切った結合パネルＰ１の断面図である。図５は、内側強化層１２へ接着された外側把持層１４を具備する好適な実施例を示し、内側強化層１２は、次に、内側強化パネル１６へ結合される。結合パネルＰ１は外側表面９８を有し、この外側表面は、当業者により理解されるように、一般的に、外側把持層１４の外側表面４６に対応する。同様に、結合パネルＰ１は、一般的に内側強化パネル１６の内側表面５０に対応する内側表面１００を有している。完成グリップＧ１において、パネルＰ１の外側表面９８は、さらに一般的には、グリップＧ１の外側表面を指している。
【００２６】
外側パネル２は、好ましくは、外側パネル２の内側表面４４上の接着剤３４によって内側強化パネル１６へ固定される。外側パネル２は、さらに、内側パネル１６の外側表面４８上の接着剤３４によって内側パネル１６へ固定されても良い。外側パネル２及び内側パネル１６は、外側パネル２の内側表面４４上及び内側パネル１６の外側表面４８上のそれぞれの接着剤３４の組み合わせにより連結されても良い。内側パネル１６と外側パネル２との間の境界面は、中間境界面１６２を形成する。
【００２７】
図６Ｂは、第一側方延長部５８の拡大図を示している。第一側方延長部５８は、内側当接表面５４と、中間当接表面５２と、外側当接表面６８とを有している。外側当接表面６８における外側当接表面６８ａは、外側多層パネル２の外側当接表面３６を部分的に区画する外側把持層１４の部分に対応する。同様に、外側当接表面６８における外側当接表面６８ｂは、外側多層パネル２の外側当接表面３６を部分的に区画する内側強化層１２の部分に対応する。第一側方延長部５８は、さらに、内側表面５６を具備する。好ましくは、第一側方延長部５８を部分的に区画する外側パネル２の側縁領域８を越えて延在する内側強化パネル１６の一部分は、約1.5から約5.0ミリメートルの範囲において、外側当接表面６８から側方に延在し、さらに好ましくは、約2.5から約3.5ミリメートルの範囲において延在し、さらに好ましくは、約3.0ミリメートル延在する。
【００２８】
図６Ａは、第二側方延長部６０の拡大図を示している。第二側方延長部６０は、内側当接表面６４と、中間当接表面６２と、外側当接表面６６とを有している。外側当接表面６６における外側当接表面６６ａは、外側多層パネル２の外側当接表面３８を部分的に区画する外側把持層１４の部分に対応する。同様に、外側当接表面６６における外側当接表面６６ｂは、外側多層パネル２の外側当接表面３８を部分的に区画する内側強化層１２の部分に対応する。好ましくは、第二側方延長部６０を部分的に区画する内側パネル１６の側縁領域２６を越えて延在する外側多層パネル２の一部分は、約1.5から約5.0ミリメートルの範囲において、外側当接表面６６から側方に延在し、さらに好ましくは、約2.5から約3.5ミリメートルの範囲において延在し、さらに好ましくは、約3.0ミリメートル延在する。好適な実施例において、第一及び第二側方延長部５８及び６０は、各当接表面６８及び６６から実質的に等しく延在する。
【００２９】
好ましくは、パネルＰ１の頂縁領域９４及び底縁領域９６は、図７に示したように、角取りされる。好適な方法は、回転刃７４により内側表面１００から外側表面９８へパネルＰ１の頂縁領域９４を下方向及び外方向に角取りし、一方、回転刃７６により同様にパネルＰ１の底縁領域９６を角取りする。好適な角取りの方法中において、パネルＰ１は、押圧板７０によって基部７２に固定され、押圧板７０に対向する内側表面１００と、基部７２に対向する外側表面９８とを有している。
【００３０】
図８は、好適な結合多層パネルＰ１の背面図である。頂縁領域９４及び底縁領域９６の角取りは、それぞれ、角取り頂縁領域７８及び角取り底縁領域８６を結果としてもたらす。好適な実施例において、刃７４及び７６は、パネルＰ１の全層に渡り少なくとも部分的に切断する。このように、角取り頂縁領域７８は、外側把持層１４の角取り頂縁部８０と、内側強化層１２の角取り頂縁部８２と、内側強化パネル１６の角取り頂縁部８４とを形成する。同様に、角取り底縁領域８６は、外側把持層１４の角取り底縁部８８と、内側強化層１２の角取り底縁部９０と、内側強化パネル１６の角取り底縁部９２とを形成する。もう一つの実施例において、刃７４及び７６は、パネルＰ１の幾つかの層だけを角取りする。
【００３１】
結合多層パネルＰ１は、図３０に示されて以下に説明されるように、グリップＧ１を形成するために下地スリーブＵへ結合される。パネルＰ１の変形は、グリップＰＧ１（図４８参照）を形成するためにパター下地スリーブＰＵへ結合されても良い。
【００３２】
図９、１０、及び１１は、本発明のもう一つの好適な実施例を示している。結合パネルＰ２は、図示された実施例において、四つの主部分を具備している。図９において、内側強化パネル２１６は、結合パネルＰ１に使用された内側強化パネル１６と同様である。外側多層パネル２０２は、第一開口部３１８と、もう一つの第二開口部３３０とを区画する。第一開口部３１８は、パネル２０２の第一内側領域３９２によって区画された変形長円として図示されている。しかしながら、第一開口部３１８は、大きさ及び寸法において規則的又は不規則的な円形、長円形、正方形、長方形、又は、任意の種々の異なる形状として形成されて良い。さらに、これらの形状は、開口部３１８によって図示されたように、パネル２０２内に全体的に入れられて良く、又は、第二開口部３３０によって図示されたように、パネル２０２の縁上を境界としてパネル２０２の外側周囲端を含むようにしても良い。第二開口部３３０は、パネル２０２の第二内側領域３９８によって区画される。
【００３３】
第一挿入部材３１０は、第一開口部３１８に対応する形状であり、外側領域３９０によって区画される。第一挿入部材３１０は、外側多層パネル２０２の第一開口部３１８に挿入される。材料は異なっても良いが、第一挿入部材３１０は、好ましくは、外側多層パネル２０２と同じ厚さであり、それにより、パネルＰ２は、第一挿入部材３１０及び外側パネル２０２が内側強化パネル２１６に接着された後において、第一挿入部材３１０及び外側パネル２０２に渡って測定される時に、実質的に同じ厚さである。同様に、第二挿入部材３２２は、開口部３３０に対応する形状であり、外側領域３９６によって区画される。好ましくは、第二挿入部材３２２は位置決め切欠き３２８を有する。もう一つの実施例において、切欠きは含まれない。第二挿入部材３２２及び対応する第二開口部３３０の形状は、図示の目的だけのためであり、多くの他の形状が本開示に含まれることが意図されている。第一挿入部材３１０と同様に、第二挿入部材３２２は、好ましくは、もし、第二挿入部材３２２を形成するのに選択された材料がパネル２０２を形成するのに選択された材料と異なっていても、外側多層パネル２０２と同じ厚さである。挿入部材３１０及び３２２は、望ましくは、扱いを容易にして、好適な外観をもたらすための目立つかなりの面積を提供するために、少なくとも３平方インチの表面積を区画する。もう一つの実施例において、挿入部材は、より小さくても、より大きくても良く、所望の効果を得るために、より少数や、殆どない場合も含まれる。
【００３４】
第一挿入部材３１０は、好ましくは、第一挿入部材３１０の内側表面３１６上の接着剤３４によって内側強化パネル２１６へ固定される。第一挿入部材３１０は、さらに、内側パネル２１６の外側表面２４８上の接着剤によってパネル２１６に固定されても良い。第一挿入部材３１０及び内側パネル２１６は、第一挿入部材３１０の内側表面３１６上及び内側パネル２１６の外側表面２４８上のそれぞれの接着剤３４の組み合わせにより連結されても良い。内側パネル２１６と外側パネル２０２との間と、内側パネル２１６と第一挿入部材３１０との間との境界面は、部分的に、中間境界面３６２を形成する。第一挿入部材３１０は、外側パネル２０２へ直接的に結合されても良い。第一挿入部材３１０は、好ましくは、外側当接表面３１２を区画する。外側当接表面３１２は、第一挿入部材３１０の外側把持層３３４に対応する外側当接表面３１２ａと、第一挿入部材３１０の内側強化層３３６に対応する外側当接表面３１２ｂとから成る。第一開口部３１８は、外側当接表面３２０を区画し、この外側当接表面が、外側パネル２０２の外側把持層２１４に対応する外側当接表面３２０ａと、外側パネル２０２の内側強化層２１２に対応する外側当接表面３２０ｂとから成る。
【００３５】
図１１は、第一挿入部材３１０と内側パネル２１６に結合された外側パネル２０２との断面図であり、第一挿入部材３１０の外側当接表面３１２と外側パネル２０２の外側当接表面３２０との間の外側取り付け境界面３６０を示している。好ましくは、外側当接表面３１２ａ及び３２０ａは、外側取り付け境界面３６０ａを形成するために結合され、一方、外側当接表面３１２ｂ及び３２０ｂは、外側取り付け境界面３６０ｂを形成するために結合される。内側パネル２１６の外側表面２４８は、中間取り付け境界面３６２を形成するために、第一挿入部材３１０の内側表面３１６と、第二挿入部材３２２の内側表面３２８と、外側パネル２０２の内側表面２４４と協働する。
【００３６】
図１１は、さらに、中間取り付け境界面３６２を示している。中間取り付け境界面３６２は、中間取り付け境界面３６２ａ、３６２ｂ、及び３６２ｃを有している。中間取り付け境界面３６２ａは、内側パネル２１６の外側表面２４８と第一挿入部材３１０の内側表面３１６との間の境界面によって形成される。中間取り付け境界面３６２ｂは、内側パネル２１６の外側表面２４８と外側パネル２０２の内側表面２４４との間の境界面によって形成される。中間取り付け境界面３６２ｃは、内側パネル２１６の外側表面２４８と第二挿入部材３２２の内側表面３２８との間の境界面によって形成される。内側挿入部材の継ぎ目４００は、全体的に、外側取り付け表面３６０と、中間取り付け表面３６２ａとによって形成される。挿入部材の継ぎ目４００は、内側パネル２１６を貫通して延在しない。このような構造は、ここに説明される重なり延長部構造と同様なさらなる支持を提供する。このような支持は、外側取り付け境界面に沿って及び中間取り付け境界面に沿っての内側パネルからの外側パネル及び挿入部材の分離を防止するのに役立つ。
【００３７】
一実施例において、接着剤３４は、結合表面３１２及び３２０に使用される。もう一つの実施例において、接着剤３４は、外側当接表面３１２ｂ及び３２０ｂに使用される。外側当接表面３１２ａ及び３２０ａは、好ましくは、異なる接着剤、例えば、注入液体ポリウレタン１６８（継ぎ目１７０の部分に沿って図３５に示されている）により結合される。ポリウレタン１６８は、ノズル、針、又は、ペン等（図示せず）によって注入されて良い。接着剤３４、液体ポリウレタン１６８、又は、当業者に公知の他の結合剤の過剰分は、全体的に均一な厚さを維持するために、すり落とし、こすり落とし、ふき取り、又は、同様な方法によって、パネルＰ２の外側表面２９８から除去される。
【００３８】
第二挿入部材３２２は、同様な方法において、外側パネル２０２と内側強化パネル２１６とに結合される。本発明の実施例の利点は、実質的に均一な厚さと、吸い付き感と、使用者の手の衝撃緩和能力とを有するグリップの外側表面の本来の姿を維持する一方で、グリップにおいて新奇なデザインに多数の色彩を組み込む可能性を有することである。
【００３９】
結合多層パネルＰ２は、例えば、図４２に示され、以下に説明されるように、グリップＧ２を形成するために下地スリーブＵに結合される。パネルＰ２の変形例は、図５１に示すように、グリップＰＧ２を形成するために、パター下地スリーブＰＵに結合されても良い。
【００４０】
図１２から１５を参照すると、本発明のさらにもう一つの実施例が示されている。結合多層パネルＰ３は、パネルＰ１及びＰ２を形成するのに使用されたと同じ構成要素から形成されている。内側強化層４１６は、図１５に示されたように、第一及び第二側方延長部４５８及び４６０のそれぞれが形成されるように、外側多層パネル４０２ａ及び４０２ｂに結合される。好ましくは、パネルＰ３は、下地スリーブＵ回りに巻かれる時に、以下に説明されるように下地スリーブＵの露出表面１０１０を全体的に覆うように、形成される。外側パネル４０２ａ及び４０２ｂは、位置決め切欠き４２８、４３０を有していても良い。幾つかの実施例において、切欠き４２８、４３０は含まれていない。
【００４１】
外側パネル４０２ａ及び４０２ｂは、好ましくは、内側表面４４４ａ及び４４４ｂのそれぞれの上の接着剤３４によって内側強化パネル４１６に固定される。外側パネル４０２ａ及び４０２ｂは、パネル４１６の外側表面４４８上の接着剤によって内側パネル４１６に固定されても良い。外側パネル４０２ａ及び４０２ｂは、外側パネル４０２ａ及び４０２ｂの内側表面４４４ａ及び４４４ｂのそれぞれと、内側パネル４１６の外側表面４４８とのそれぞれの接着剤３４の組み合わせによって内側パネル４１６に結合されても良い。
【００４２】
望ましくは、外側パネル４０２ａは、外側パネル４０２ｂへ直接的に結合される。パネル４０２ａは、外側当接表面４３６ａを形成する。外側当接表面４３６ａは、外側パネル４０２ａの外側把持層４１４ａに対応する外側当接表面４３６ａａと、外側パネル４０２ａの内側強化層４１２ａに対応する外側当接表面４３６ａｂとを有する。外側パネル４０２ｂは、外側当接表面４３８ｂを形成する。外側当接表面４３８ｂは、外側パネル４０２ｂの外側把持層４１４ｂに対応する外側当接表面４３８ｂａと、外側パネル４０２ｂの内側強化層４１２ｂに対応する外側当接表面４３８ｂｂとを有する。好ましくは、外側当接表面４３６ａ及び４３８ｂは、外側取り付け境界面５６４を形成する。外側取り付け境界面５６４は、外側当接表面４３６ａａ及び４３６ｂａによって形成される外側取り付け境界面５６４ａと、当接表面４３６ａｂ及び４３６ｂｂによって形成される外側取り付け境界面５６４ｂとを有する。本実施例において、外側取り付け境界面５６４は、好ましくは、外側パネル４０２の頂縁領域４０４と外側パネル４０２の底縁領域４０６との間の距離だけ実質的に延在し、それにより、外側パネル４０２の第一及び第二部分を区画する。もう一つの実施例において、外側パネル４０２は、同様な方法において結合されたさらなる部分を有していても良い。
【００４３】
内側パネル４１６の外側表面４４８は、中間取り付け境界面５６６を形成するように、外側パネル４０２ａ及び４０２ｂの内側表面４４４ａ及び４４４ｂのそれぞれと協働する。中間取り付け境界面５６６は、内側パネル４１６の外側表面４４８及び外側パネル４０２ａの内側表面４４４ａに対応する中間取り付け境界面５６６ａと、内側パネル４１６の外側表面４４８及び外側パネル４０２ｂの内側表面４４４ｂに対応する中間取り付け境界面５６６ｂとを有する。内側継ぎ目４２０は、全体的に、第一及び第二側方延長部４５８及び４６０の間の境界面以外のパネル４０２の境界結合部である。上述の構成は、ゴルファにより使用される時のグリップ上の衝撃力に耐えるように、ここで説明した重なり延長部構造と同様なパネル境界面へさらなる支持を提供する。
【００４４】
図示した実施例において、外側パネル４０２ｂの第一側縁領域４０８ｂは、外側パネル４０２の外側側縁領域４０８ｂである。外側パネル４０２の外側側縁領域４０８ｂは、第一側方延長部４５８を形成するために、内側パネル４１６の第一側縁領域４２４と協働する。同様に、外側パネル４０２ａの第二側縁領域４１０ａは、外側パネル４０２の外側側縁領域４１０ａである。外側パネル４０２の外側側縁領域４１０ａは、第二側方延長部４６０を形成するために、内側パネル４１６の第二側縁領域４２６と協働する。
【００４５】
結合多層パネルＰ３は、例えば、図４１に示されて以下に説明されるように、例えば、グリップＧ３を形成するために下地スリーブＵへ結合される。パネルＰ３の変形例は、グリップＰＧ３（図５２参照）を形成するために、下地スリーブＰＵへ結合されても良い。
【００４６】
本発明のさらなる利点は、例えば、図１２から１５に示されるように、さらなる縦パネルを有しても良いグリップの多数の変形を可能とすることであることが特筆される。図示されていない他の実施例において、多数の横パネルが、ここで説明された他の変形例に及びこれら変形例にではなく組み入れられる。さらに別の実施例において、当業者に理解されるように、多数の内側強化層は、本開示の精神内に依然として維持されて種々のデザインと共に使用される。
【００４７】
図１６から１９を参照すると、摩擦強化パターン１５６を形成するのに利用される第一型Ｍ１が示されている。摩擦強化パターン１５６は、任意の多数の形状又はそれらの組み合わせとして良い。例えば、二つのパターン１５６ａ及び１５６ｂが、それぞれ、図１８及び１９に示されている。もう一つの実施例において、型Ｍ１は、外側把持層１４にロゴ、デザイン、記章、及び、他のマーク（図示せず）を形成する。型Ｍ１は、好ましくは、基板Ｂ１と、キャビティ１５２が形成された加熱板１５０とを有する。加熱板１５０には、図１７に示すように、押圧された摩擦強化パターン１５６を形成するためにパネルＰ１の外側表面９８に係合する下がり突起１５４が設けられている。
【００４８】
前述したように、もう一つの実施例において、他のパターンが外側把持層４０に形成されても良い。これらのパターンは、さらに、グリップパネルＰ１上のデザイン又はロゴを含む押印された視覚的目印を組み込んでも良い。押印された視覚的目印は、当業者に公知の適当なインクを使用する外側層１４へのインク押印である。好ましくは、インクは、耐水性であり、耐熱性であり、さらに好ましくは、例えば、ゴルフクラブＣのシャフトＳＣの端部上へ完成グリップＧ（図６９）を、又は、例えば、パターＰＣのシャフトＳＰの端部上へ完成パターグリップ（図７０）を付けるのに使用される潤滑液体又は溶剤と接触する時の変質に耐えるように作り出される。ここに開示された図面は唯一又は多くの他のパターンを表し、押印はこのパネルグリップに使用されて良い。例えば、米国特許第6,843,732号に開示されたパターンを参照のこと。
【００４９】
図２０及び２１を参照すると、本発明のさらにもう一つの実施例が示されている。結合多層パネルＰ４はパネルＰ３の変形例であり、摩擦強化パターン１５６ａが外側多層パネル６０２ａに提供され、摩擦強化パターン１５６ｂが外側多層パネル６０２ｂに提供されている。多くの他のパターンの組み合わせが、パネルＰ２に示されたような挿入部材上のパターンの組み込みを含む本発明の他の種々の実施例に使用されて良い。
【００５０】
結合多層パネルＰ４は、例えば、図５３に示され以下に説明されるようなグリップＰＧ４を形成するためにパター下地スリーブＰＵへ結合される。パネルＰ４はグリップ（図示せず）を形成するために下地スリーブＵに結合されても良い。
【００５１】
図２２から２５を参照すると、好ましくは、天然又は人工ゴム、又は、プラスチックのような弾性材料から形成された下地スリーブＵが示されている。スリーブＵは、頂端部１０５０に一体キャップ１００２を有し、一方、スリーブＵの底端部１０５２にはニップル１００４が形成されている。スリーブＵは、キャップ１００２の下側とニップル１００４の上側との間に延在する表面１０１０を有している。キャップ１００２の下側には、下方向に延在するスロット１０２０が形成され、このスロットは下地Ｕの回りを周方向に覆っている。スロット１０２０はキャップ１００２から下方向に延在するリップ部１０５４により形成される。リップ部１０５４は、スリーブＵの表面１０１０に対向する内側表面１０２８と、キャップ１００２から下方向を指向する下側表面１０２２と、スリーブＵの表面１０１０から離れるように指向する外側表面１０２４とを区画形成する。下方向に延在するリップ部１０５４は、スリーブＵの表面１０１０の一部１０２６を超えて延在する。スロット１０２０の最上部は、内側の下方向を指向する表面１０５８により形成される。好ましくは、リップ部１０５４は、下地スリーブＵの表面１０１０から離間する曲げに耐えるように形成される。スロット１０２０は、例えば、図５９に示され以下に説明されるようなパネルＰ１の角取り頂縁領域７８を受け入れる。
【００５２】
同様に、下地Ｕのニップル１００４には、上方向に延在するスロット１０３０が形成され、このスロットは、スリーブＵの表面１０１０の一部１０３６と、ニップル１００４から上方向に延在し、好ましくは、スリーブＵの回りを周方向に覆うリップ部１０５６とによって区画形成される。リップ部１０５６は、スリーブＵに対向する内側表面１０３８と、ニップル１００４から上方向を指向する上側表面１０３２と、スリーブＵの表面１０１０から離れるように指向する外側表面１０３４とを区画形成する。上方向に延在するリップ部１０５６は、スリーブＵの表面１０１０の一部１０３６を超えて延在する。スロット１０３０の最下部は、内側の上方向を指向する表面１０６０により形成される。好ましくは、内側表面１０３８は、上側表面１０３２が下方向を指向する表面１０５８より小さくなるように、リップ部１０５６が上方向に延在する時に、外側表面１０３４へ向けて傾斜している。ニップルのリップ部１０５６のこのような傾斜形状の一つの利点は、リップ部１０５６がスリーブＵの表面１０１０から外方向へ曲がることを可能とすることである。リップ部１０５６は、スリーブＵから外方向へ曲がるが、好ましくは、平らとなる完全曲げ位置のままとされることに耐え、それにより、スリーブＵの表面１０３６完全に露出する。もう一つの実施例において、内側表面１０３８は傾斜せず、上側表面１０３２及び下側表面１０２２は全体的に等しい幅である。さらに他の実施例において、外側表面１０３４は内側表面１０３８へ向けて傾斜している。ニップルのスロット１０３０は、例えば、図６０に示され以下に説明されるようなパネルＰ１の角取り底縁領域８６を受け入れる。好ましくは、下地スリーブＵには、完成グリップＧ１を形成するために下地スリーブＵへ完成グリップパネルである例えばＰ１を取り付けるための中間位置を示す位置決め切欠き１００６、１００８が形成される。
【００５３】
図２６から３５を参照すると、下地スリーブＵへ取り付けられるパネルＰ１が示されている。図２６には、ノズル３２又はブラシ等によって接着剤３４が付けられている下地スリーブＵの外側表面１０１０が示されている。図２７には、ノズル３２又はブラシ等によって接着剤３４が付けられているパネルＰ１の内側表面１００が示されている。選択的に、パネルＰ１及びスリーブＵの一方又は他方だけに接着剤３４が付けられる。
【００５４】
図２８は、下地スリーブＵの回りに巻き付けられて結合されるパネルＰ１を示している。この作業中において、パネルＰ１の切欠き２８，３０は、下地スリーブＵの切欠き１００６，１００８に整列して配置される。さらに、パネルＰ１の頂縁領域７８は、下地キャップ１００２のスロット１０２０内に人手により挿入され、一方、パネルＰ１の底縁領域８６は、好ましくは、一時的にリップ部を外側に曲げることによって、ニップル１００４内に形成されたスロット１０３０内に人手により挿入される（図５９及び６０参照）。
【００５５】
図３１から３５に示されているように、パネルＰ１の第一及び第二側方延長部５８及び６０のそれぞれは、継ぎ目１７０を形成して共に結合される。延長部５８，６０の重なりのために、全体的にパネルＰ１を通ってスリーブＵの表面１０１０からパネルＰ１の外側表面９８へ延在する継ぎ目１７０は、段状となる。このような構造は、特に、種々の強化層が共に結合される場合において、特に強い境界面を結果としてもたらす。
【００５６】
好適な実施例において、継ぎ目１７０は、図３５に示されているように、三つの取り付け境界面１７２、１７４、及び１７６を有している。内側取り付け境界面１７２は、好ましくは、内側当接表面５４及び６４の少なくとも一部の間に形成される。中間取り付け境界面１７４は、好ましくは、中間当接表面５２及び６２の少なくとも一部の間に形成される。外側取り付け境界面１７６は、好ましくは、外側当接表面６８及び６６の少なくとも一部の間に形成される。好適な実施例において、外側取り付け境界面１７６は、外側取り付け表面６６ａ及び外側取り付け表面６８ａの重なりにより区画される外側取り付け境界面１７６ａと、外側取り付け表面６８ａ及び外側取り付け表面６８ｂの重なりにより区画される外側取り付け境界面１７６ｂとを有する。
【００５７】
継ぎ目１７０が三つの境界面１７２、１７４、及び１７６の全てを有することは好適であるが、他の実施例は、中間境界面１７４の一部及び外側境界面１７６の一部だけが継ぎ目１７０を固定するのに使用される継ぎ目を有している。このような継ぎ目は、強化層の一部が結合される少なくとも一つの境界面を有するために、卓越した強さを維持する。
【００５８】
適当な接着剤３４は、ポリクロロプレン（Ｃ4Ｈ5Ｃｌ）及びトルエン（ＣＨ5ＣＨ3）の化学式を有する。パネルＰ１が下地スリーブＵの回りに巻き付けられて結合される時に、スリーブＵは一般的な方法において折畳み可能マンドレル１０７０上に一時的に支持される。
【００５９】
さらにもう一つの実施例において、接着剤３４はパネルＰ１に噴霧され、それにより、接着剤は、内側強化パネル１６と、内側当接表面５４及び６４と、中間当接表面５２及び６２と、外側当接表面６６及び６８の一部６６ｂ，６８ｂとだけを覆う。頂縁及び底縁領域９４及び９６又は角取り頂縁及び底縁領域７８及び８６もまた接着剤を有することができる。パネルＰ１が下地スリーブＵ回りに巻き付けられた後に、高温ポリウレタン１６８が、針、ブラシ、又は、噴霧器等によって外側当接表面６６及び６８の一部６６ａ，６８ａの間に注入されて良い。ポリウレタン１６８が硬化した後に、適当なブラシ等によって、継ぎ目１７０からあふれたポリウレタンをすり落とし、グリップＧ１の表面を滑らかに調和させる。選択的に、余分なポリウレタン１６８はグリップＧ１の表面からすり落とされずに除去されない。
【００６０】
一実施例において、継ぎ目１７０はそのままとされ、完成グリップＧ１は図３０に示されるように完成される。図３６から３９に示されるように、もう一つの実施例において、第二の型Ｍ２が外側取り付け境界面１７６ａに沿って部分６６ａ，６８ａを熱接着するのに使用される。型Ｍ２は、好ましくは、継ぎ目１７０の外側表面に対して押圧される加熱プラテン１５８を有している。基部Ｂ２は型Ｍ２内にグリップＧ１を支持する。加熱プラテン１５８は、継ぎ目１７０’を形成するために、継ぎ目１７０の外側取り付け境界面１７６ａに沿って外側把持層１４の側縁領域８及び１０を加熱して共に熱接着させる。型Ｍ２により変更されたグリップＧ１は、図４０にグリップＧ１’として示されている。
【００６１】
図４３から５０を参照すると、一般的なパタークラブＰＣと共に使用されるパネルパターグリップＰＧが示されている。グリップＰＧ１（図４８）は、下地スリーブＵＰが環状形態でないこと以外は前述の下地部材Ｕとほぼ同様である弾性的な下地スリーブＵＰ（図４３から４７)を有する。代わりに、下地スリーブＵＰの前面１０８０は、一般的に使用される殆どのパターの設計によって、全体的に平らな形状である。パター下地スリーブＵＰには、前述の下地スリーブＵと同様な方法でパネルが取り付けられることが理解される。
【００６２】
好適な実施例において、グリップＰＧ１（図４８）は滑らかである。ＰＧ１は、さらに、前述のように押印されるインクであって良い視覚的目印（図示せず）を有していても良い。パターは、一般的に、他のクラブに関する全体的に長いスイングと比較して短いパッティングのスイングのために小さな力しか受けないことから、パターグリップＰＧは一般的に摩擦強化パターン１５６を必要としない。しかしながら、このようなパターンを図５３に示されて前述されたようなパターグリップＰＧ４へ組み込むことができる。
【００６３】
当業者によって明らかなように、前述の実施例には、この開示の範囲内で得られる多数の変更がなされても良い。図５８から６２を参照すると、パネルＰ１及び下地スリーブＵの組み合わせを変更して、このような一つのさらなる実施例Ｇ５とするための段階が示されている。図５４は、第三の型Ｍ３内にマンドレル１０７０上に保持された変更以前のグリップＧ５を示している。型Ｍ３は、長手方向に延在する加熱押圧歯部１１００と基部Ｂ３とを有している。長手方向に延在する加熱押圧歯部１１００(図５５）は、パネルＰ１の外側表面９８に沿って継ぎ目１７０においてグリップＧ５に対して押圧される。このような加熱歯部１１００は、このような継ぎ目をさらに強化するように、外側取り付け境界面１７６の長さの少なくとも一部に沿って、外側多層パネル２に小さな凹部１１０２を形成する。完成グリップＧ５の第一実施例は、図５８から６０に示されている。
【００６４】
図５９から６０を参照すると、パネルＰ１の角取り頂縁領域７８の一部がキャップのスロット１０２０内に強固に配置され、パネルＰ１の角取り底縁領域８６の一部がニップルのスロット１０３０内に強固に配置されているのが分かる。好ましくは、頂縁領域７８は、キャップのリップ部１０５４を外側へ曲げる必要なく、キャップのスロット１０２０内へ手作業で挿入される。ニップルのリップ部１０５６は、好ましくは、ニップルのスロット１０３０内への底縁領域８６の挿入を容易にするために、スリーブＵの表面１０１０から外側へ曲げられる。リップ部１０５４及び１０５６は、パネルＰ１を強固に保持するためにスリーブＵの残り部分と協働する。リップ部１０５４及び１０５６は、さらに、使用中又はゴルフバッグ等のような保存区画からの出し入れ中にグリップの本来の姿を維持するように、継ぎ目１７０、及び、他の実施例においてはパネルの頂縁及び底縁へ延在する継ぎ目と協働する。完成グリップＧ５は、次に、マンドレル１０７０から外され、一般的な方法によりゴルフクラブＣのシャフトＳＣへ摺動嵌装されて接着される準備ができる。
【００６５】
図６１から６４は、凹部１１０２の一部がノズル１１０４、針、ペン、又は、ブラシ等（図６１）によって高温ポリウレタン１６８で充填されることを除いて、グリップＧ５に関して全て同じゴルフクラブグリップＧ５’を示している。ポリウレタン１６８が硬化した後、その幾らか又は全ては、図６２に示されているように、グリップＧ５’の表面９８と滑らかに融合するように、適当なブラシ１１０６等によってすり落とされることができる。選択的に、ポリウレタン１６８はすり落とされない。
【００６６】
図６５から６８を参照すると、さらにもう一つの実施例Ｇ６への実施例Ｇ１のもう一つの変形例が示されている。この変形例において、凹状の補強チャネル１１０２は利用されない。それに代えて、継ぎ目１７０が形成された後、少量の高温ポリウレタン１６８が、図６６に示されるように、ノズル１１０４、針、ペン、又は、ブラシ等によって継ぎ目１７０の少なくとも一部上に沿って覆う。ポリウレタン１６８が硬化した後、その幾らか又は全ては、図６７及び６８に示されているように、グリップＧ６の表面９８と滑らかに融合するように、適当なブラシ１１０６等によってすり落とされても良い。選択的に、ポリウレタン１６８はすり落とされない。
【００６７】
型Ｍ３を使用する前述の実施例は、パネルＰ１及び下地Ｕを使用するように示されているが、この教示は、パターグリップＰＧ１として、パタークラブＰＣと共に使用されるような他の実施例に同様に適用可能である。加えて、型Ｍ３の加熱歯部１１００は、種々の内側挿入部材及び種々の他の実施例に関してここで前述されたような他の内側継ぎ目に、全体又は一部において対応する形状であって良い。同様に、内側継ぎ目は、さらに、チャネルと共に、又は、チャネル無しに、液体ポリウレタンによって、全部又は一部において覆われる。幾つかの実施例において、ポリウレタンの少なくとも一部は、グリップの表面の残りと滑らかな表面を存在させるために、すり落とされる。一方、幾つかの実施例においては、すり落とされない。
【００６８】
本発明を具現するグリップの外側表面には、全部又は一部において、ブラシ、ノズル、又は、スプレー等によりポリウレタンの薄寸層（図示せず）が被覆されることで、斯かる表面を保護し、吸い付き性を付加し、且つ、耐久性を高め得ることを理解すべきである。
【００６９】
本発明のゴルフクラブグリップは、先に記述された既存の巻き付け式の単一パネルグリップとの比較において利点を提供する。さらに、このようなグリップは、プロゴルファおよびハンディキャップの少ないゴルファに馴染みのある成形式の一体片グリップの外観を有する。斯かるゴルファの一部は、一般的な巻き付け式ではないゴルフクラブの使用を好まないが、本発明の構造的に一体的なグリップにより快くプレイを行う、と言うのも、斯かるグリップは巻き付け式グリップの衝撃吸収性及び吸い付き性を与えるからである。更に、多くの個人ゴルファおよび高校、大学およびプロ・チームは、快適さ、耐久性もしくは吸い付き性を犠牲にせずにゴルフグリップ上にチームカラーを載置することで達成され得るという友情及び連帯感の印を好む。本発明によれば、ゴルフクラブ及びパターのグリップに対して複数の色彩が適用され得ることから、チームおよび個人はその精神及び熱意を、これまでは可能でなかった様式で表現し得る。
【００７０】
上記内容は発明の原理の例示にすぎず、当業者であれば発明の有効範囲および精神から逸脱せずに種々の改変、変更および組み合わせが為され得ることは理解される。
【図面の簡単な説明】
【００７１】
【図１】一実施例によるパネルグリップの外側多層パネル部材の背面図である。
【図２】一実施例によるパネルグリップの内側強化パネル部材の正面図である。
【図３】一実施例によるパネルグリップの外側多層パネル部材に結合されつつある内側強化パネル部材の斜視図である。
【図４】一実施例によるパネルグリップの結合された多層パネル部材の斜視図である。
【図５】図４に示された線５−５に沿う水平断面図である。
【図６Ａ】図５に示された円形領域６Ａの拡大図である。
【図６Ｂ】図５に示された円形領域６Ｂの拡大図である。
【図７】角取りされつつある一実施例のパネル部材の頂縁及び底縁領域を示す側面図である。
【図８】一実施例のパネルグリップの背面図である。
【図９】一実施例によるパネルグリップの外側多層パネル部材に結合されつつある内側強化パネル部材の斜視図である。
【図１０】一実施例によるパネルグリップの結合された多層パネル部材の斜視図である。
【図１１】図１０に示された線１１−１１に沿う水平断面図である。
【図１２Ａ】一実施例によるパネルグリップの外側多層パネル部材の背面図である。
【図１２Ｂ】図１２Ａの外側多層パネル部材と共に使用されるパネルグリップの外側多層パネル部材の背面図である。
【図１３】一実施例によるパネルグリップの内側強化パネル部材の正面図である。
【図１４】一実施例によるパネルグリップの外側多層パネル部材に結合されつつある内側強化パネル部材の斜視図である。
【図１５】一実施例によるパネルグリップの結合された多層パネル部材の斜視図である。
【図１６】一実施例によるパネルグリップのパネル部材の形成に使用される型を示す水平断面図である。
【図１７】図１６に示された円形領域１７の拡大図である。
【図１８】図１６及び１７に示された型により形成されるパターンの拡大図である。
【図１９】図１６及び１７に示された型により形成されるもう一つのパターンの拡大図である。
【図２０】一実施例によるパネルグリップの外側多層パネル部材に結合されつつある内側強化パネル部材の斜視図である。
【図２１】一実施例によるパネルグリップの結合された多層パネル部材の斜視図である。
【図２２】一実施例によるパネルグリップの下地スリーブ部材の正面図である。
【図２３】図２２に示された線２３−２３に沿う垂直断面図である。
【図２４】図２３に示された円形領域２４の拡大図である。
【図２５】図２３に示された円形領域２５の拡大図である。
【図２６】一実施例による下地スリーブの外側へ供給されつつある接着剤を示す正面図である。
【図２７】一実施例によるパネルグリップのパネル部材へ供給されつつある接着剤を示す背面図である。
【図２８】一実施例による下地スリーブへ結合されつつあるパネル部材を示す背面図である。
【図２９】一実施例による下地スリーブへ結合されつつあるパネル部材のもう一つの段階を示す背面図である。
【図３０】一実施例による下地スリーブへ結合されたパネル部材の背面図である。
【図３１】図２８に示された線３１−３１に沿う断面図である。
【図３２】図２９に示された線３２−３２に沿う断面図である。
【図３３】図３０に示された線３３−３３に沿う断面図である。
【図３４】図３２に示された円形領域３４の拡大図である。
【図３５】図３３に示された円形領域３５の拡大図である。
【図３６】一実施例によるパネルグリップを形成するのに使用される型を示す水平側面図である。
【図３７】図３６に示された線３７−３７に沿う垂直断面図である。
【図３８】図３６及び３７に示された型の使用後におけるグリップの垂直断面図である。
【図３９】図３８に示された円形領域３９の拡大図である。
【図４０】一実施例によるグリップの背面斜視図である。
【図４１】一実施例によるグリップの背面斜視図である。
【図４２】一実施例によるグリップの正面斜視図である。
【図４３】一実施例によるパネルグリップの下地スリーブ部材の正面斜視図である。
【図４４】図４３に示された下地スリーブの側面図である。
【図４５】図４３に示された線４５−４５に沿う断面図である。
【図４６】図４４に示された線４６−４６に沿う垂直断面図である。
【図４７】図４４に示された線４７−４７に沿う垂直断面図である。
【図４８】一実施例によるグリップの正面斜視図である。
【図４９】図４８に示されたグリップの背面図である。
【図５０】図４８に示された線５０−５０に沿う断面図である。
【図５１】一実施例によるグリップの正面斜視図である。
【図５２】一実施例によるグリップの正面斜視図である。
【図５３】一実施例によるグリップの正面斜視図である。
【図５４】一実施例によるパネルグリップを形成するのに使用される型を示す水平側面図である。
【図５５】図５４に示された線５５−５５に沿う垂直断面図である。
【図５６】図５４及び５５に示された型の使用後のグリップの垂直断面図である。
【図５７】図５６に示された円形領域５７の拡大図である。
【図５８】一実施例によるグリップの背面図である。
【図５９】図５８に示された線５９−５９に沿う断面図である。
【図６０】図５８に示された線６０−６０に沿う断面図である。
【図６１】図５８に示されたグリップに変更を行う第一段階を示す破断背面図である。
【図６２】図５８に示されたグリップに変更を行う第二段階を示す破断背面図である。
【図６３】図６２に示された線６３−６３に沿う水平断面図である。
【図６４】図６３に示された円形領域６４の拡大図である。
【図６５】一実施例による変形例のために準備されて下地スリーブに結合されたパネル部材の背面図である。
【図６６】図６５に示されたグリップに変更を行う第一段階を示す破断背面図である。
【図６７】図６５に示されたグリップに変更を行う第二段階を示す破断背面図である。
【図６８】一実施例による図６６及び６７に示された変更段階後に下地スリーブに結合されたパネル部材の背面図である。
【図６９】一実施例によるパネルグリップが設けられたゴルフクラブの斜視図である。
【図７０】一実施例によるパネルグリップが設けられたゴルフクラブの斜視図である。
【符号の説明】
【００７２】
Ｕ    下地スリーブ
２    外側多層パネル
１６    内側強化パネル
Ｐ１    結合多層パネル
５８    第一側方延長部
６０    第二側方延長部
【図１】
0004394658.tif 000002
【図２】
0004394658.tif 000003
【図３】
0004394658.tif 000004
【図４】
0004394658.tif 000005
【図５】
0004394658.tif 000006
【図６Ａ】
0004394658.tif 000007
【図６Ｂ】
0004394658.tif 000008
【図７】
0004394658.tif 000009
【図８】
0004394658.tif 000010
【図９】
0004394658.tif 000011
【図１０】
0004394658.tif 000012
【図１１】
0004394658.tif 000013
【図１２Ａ】
0004394658.tif 000014
【図１２Ｂ】
0004394658.tif 000015
【図１３】
0004394658.tif 000016
【図１４】
0004394658.tif 000017
【図１５】
0004394658.tif 000018
【図１６】
0004394658.tif 000019
【図１７】
0004394658.tif 000020
【図１８】
0004394658.tif 000021
【図１９】
0004394658.tif 000022
【図２０】
0004394658.tif 000023
【図２１】
0004394658.tif 000024
【図２２】
0004394658.tif 000025
【図２３】
0004394658.tif 000026
【図２４】
0004394658.tif 000027
【図２５】
0004394658.tif 000028
【図２６】
0004394658.tif 000029
【図２７】
0004394658.tif 000030
【図２８】
0004394658.tif 000031
【図２９】
0004394658.tif 000032
【図３０】
0004394658.tif 000033
【図３１】
0004394658.tif 000034
【図３２】
0004394658.tif 000035
【図３３】
0004394658.tif 000036
【図３４】
0004394658.tif 000037
【図３５】
0004394658.tif 000038
【図３６】
0004394658.tif 000039
【図３７】
0004394658.tif 000040
【図３８】
0004394658.tif 000041
【図３９】
0004394658.tif 000042
【図４０】
0004394658.tif 000043
【図４１】
0004394658.tif 000044
【図４２】
0004394658.tif 000045
【図４３】
0004394658.tif 000046
【図４４】
0004394658.tif 000047
【図４５】
0004394658.tif 000048
【図４６】
0004394658.tif 000049
【図４７】
0004394658.tif 000050
【図４８】
0004394658.tif 000051
【図４９】
0004394658.tif 000052
【図５０】
0004394658.tif 000053
【図５１】
0004394658.tif 000054
【図５２】
0004394658.tif 000055
【図５３】
0004394658.tif 000056
【図５４】
0004394658.tif 000057
【図５５】
0004394658.tif 000058
【図５６】
0004394658.tif 000059
【図５７】
0004394658.tif 000060
【図５８】
0004394658.tif 000061
【図５９】
0004394658.tif 000062
【図６０】
0004394658.tif 000063
【図６１】
0004394658.tif 000064
【図６２】
0004394658.tif 000065
【図６３】
0004394658.tif 000066
【図６４】
0004394658.tif 000067
【図６５】
0004394658.tif 000068
【図６６】
0004394658.tif 000069
【図６７】
0004394658.tif 000070
【図６８】
0004394658.tif 000071
【図６９】
0004394658.tif 000072
【図７０】
0004394658.tif 000073